(57)【特許請求の範囲】
【請求項１】
床上に積載する固定対象物に係止する係止具を先端に保持するベルトを、固定対象物の前側および後側に備え、前側または後側の少なくとも一方のベルトをベルト収納手段により引出・巻取自在の変長ベルトとし、該変長ベルトを挿通する挿通部を有し回動可能に軸支したベルト巻込具を備え、ベルト巻込具を回動することで挿通部に挿通された変長ベルトを巻込んで引出不能のロック状態とする床下取付用の固定装置であって、
前記ベルト巻込具の回動と連動する操作レバーの回動支点を床下に設け、そして、変長ベルトを引出・巻取自在なアンロック状態及び引出不能なロック状態の両方で操作レバーが床上に突出しない横倒れ姿勢としたことを特徴とする固定装置。
【請求項２】
操作レバーは、ロック状態とアンロック状態との間で１８０度回動し、両方の状態で床上に突出しない横倒れ姿勢となる請求項１記載の固定装置。
【請求項３】
前側ベルトと後側ベルトとで一つの係止具を保持すると共に、該係止具は固定対象物に掛け止める掛止部を２以上有する請求項１または請求項２に記載の固定装置。
【請求項４】
隣合う掛止部で固定対象物の一部を前後方向で狭持する請求項３記載の固定装置。
【請求項５】
係止具は一本の線材から成形される請求項３または請求項４記載の固定装置。
【請求項６】
ベルトの先端に係止輪を備え、係止具を係脱自在に保持する請求項１〜５のいずれか１項に記載の固定装置。
【請求項７】
操作レバーを固定対象物の後方に設けてある請求項１〜６のいずれか１項に記載の固定装置。
【発明の詳細な説明】
【０００１】
【発明の属する技術分野】
本発明は、自動車、電車、船、飛行機等の床上に積載する固定対象物の固定装置に関し、特に自動車の床上に積載する車椅子やストレッチャーの固定に好適な固定装置に関する。
【０００２】
【従来の技術】
従来、車両に載置された車椅子や荷物などの固定対象物を固定する固定装置としては、図７に示すようなものが提案されている（特許第３０４３３６５）。この固定装置は、特に車椅子Ｃを固定するのに好適なものである。固定対象物としての車椅子Ｃを固定する際は、まず、床上への引き出し長さを調整できる変長ベルト３’を車椅子Ｃの前後左右からそれぞれ引出して、ベルト３’の先端のフックを車椅子Ｃに引っ掛ける。この変長ベルト３’は、床下の図示せぬリトラクタによって自動的に巻き取られ、先端のフックを車椅子Ｃに引っ掛けると、後は自動的に引張状態となる。ここで、車椅子Ｃの脇に設けられた操作レバー８’を引くと変長ベルト３’が引出不能にロックされ、車椅子Ｃがベルト３’によって下方に引っ張られた状態で床Ｆに固定される。このような車椅子Ｃの固定装置１’は、一旦フックを車椅子Ｃに掛けてしまえば、操作レバー８’で変長ベルト３’をロックするのみで簡単に車椅子Ｃを固定できる。
【０００３】
【発明が解決しようとする課題】
しかしながら、従来の固定装置にあっては操作レバー８’が床Ｆに取り付けられているため、固定位置に車椅子Ｃを移動する際は、操作レバー８’にぶつからないように配慮する必要があり、車椅子Ｃの移動できる方向や範囲に制限があった。また、特に狭い車内空間で固定作業をする付添人にとって床Ｆにある凹凸は邪魔であり、固定作業を行いにくかった。さらに、床Ｆに操作レバー８’があると床Ｆのスペースが区切られるため固定対象物が限定されてしまい、固定装置１を使用せず単に荷物を積載する場合には、操作レバー８’が邪魔で床Ｆの利用範囲が限られてしまう。
【０００４】
その他の不具合としては、車椅子Ｃを固定する際、どうしても車椅子Ｃの回りを一巡して４本のベルト３’をそれぞれ車椅子Ｃのフレームに掛けなければならず面倒で、狭い車内空間での作業となるためその作業もしにくかった。また、車椅子Ｃの前方向からフック掛けをする際は車椅子Ｃの股下へ他人が手を伸ばすので、車椅子Ｃに乗る人が不快に感じることもあり、できれば避けて欲しいという要望もあった。
【０００５】
本発明は、このような従来の技術に着目してなされたもので、床面をフラットにして床の利用範囲をより広げることができる固定装置を提供することを目的とする。また、特に、固定対象物が車椅子の場合において、車椅子の移動制限を無くすことができる固定装置を提供することを目的とする。また本発明は、付添人の固定作業を容易にすると共に、その作業を行う際に車椅子に乗る人の不快感を払拭できるような固定装置を提供することを目的とする。
【０００６】
【課題を解決するための手段】
請求項１記載の発明は、床上に積載する固定対象物に係止する係止具を先端に保持するベルトを、固定対象物の前側および後側に備え、前側または後側の少なくとも一方のベルトをベルト収納手段により引出・巻取自在の変長ベルトとし、該変長ベルトを挿通する挿通部を有し回動可能に軸支したベルト巻込具を備え、ベルト巻込具を回動することで挿通部に挿通された変長ベルトを巻込んで引出不能のロック状態とする床下取付用の固定装置であって、前記ベルト巻込具の回動と連動する操作レバーの回動支点を床下に設け、そして、変長ベルトを引出・巻取自在なアンロック状態及び引出不能なロック状態の両方で操作レバーが床上に突出しない横倒れ姿勢としたことを特徴とするものである。
【０００７】
また請求項２記載の発明は、操作レバーがロック状態とアンロック状態との間で１８０度回動し、両方の状態で床上に突出しない横倒れ姿勢とするものである。
【０００８】
請求項１及び請求項２記載の発明によれば、床下取付用の固定装置は、ベルト巻込具の回動と連動する操作レバーの回動支点を床下に設け、そして、変長ベルトを引出・巻取自在なアンロック状態で操作レバーが床上に突出しない横倒れ姿勢としてあるので、床面をフラットにすることが可能となり、固定対象物の搬入および固定位置までの移動を容易かつ安全にすることができる。また、固定装置を使わないときは、操作レバーを完全に床下に収納して比較的大きな積載物も搬入できるので、床の利用範囲も広がる。
【０００９】
そしてさらに、操作レバーが変長ベルトのロック状態およびアンロック状態で床上に突出しない横倒れ姿勢であるので、固定対象物の積載作業を容易かつ安全に行えると共に、固定対象物を固定した後も、操作レバーを床下に収納できるので、床面の完全フラット化を実現することができる。特に、前後方向に複数の固定対象物を積載する場合において、前の固定対象物を固定した後、スペースを空けずにその後ろから次の固定対象物を固定できるので、床面の利用面積も広がる。
【００１０】
請求項３記載の発明は、前側ベルトと後側ベルトで一つの係止具を保持すると共に、該係止具は固定対象物に掛け止める掛止部を少なくとも２つ有するものである。
【００１１】
請求項３記載の発明によれば、前側ベルトと後側ベルトで一つの係止具を保持すると共に、該係止具は固定対象物に掛け止める掛止部を少なくとも２つ有するので、例えば、車椅子を固定対象物とする場合は、作業をしやすい車椅子後方から係止具を一度に掛けることができ、取付作業が容易になる。そのため、従来のように固定対象物の回りを一巡してフックをそれぞれ別々に取り付ける必要が無くなる。更に、後方から取付作業が完了するため、他人が車椅子に乗る人の股下に手を伸ばす作業がなく、車椅子に乗る人の不快感を払拭することができる。
【００１２】
請求項４記載の発明は、隣合う掛止部で固定対象物の一部を前後方向で狭持するものである。
【００１３】
請求項４記載の発明によれば、隣合う掛止部で固定対象物の一部を前後方向で狭持するので、固定対象物をより確実に床面に固定することができる。特に、自動車などの床面に載置された車椅子に対し、急ブレーキ、急発進によって大きな慣性力がかかっても、固定対象物と係止具との間でズレが生じにくく、固定装置の固定性能は高く維持される。こうした隣合う掛止部としては、具体的には、例えば車椅子やストレッチャーのフレーム構造に見られるような逆Ｔ字状を呈するパイプフレームの縦パイプを車椅子の前後方向から狭持可能な掛止部として構成することができる。
【００１４】
請求項５記載の発明は、係止具を一本の線材から形成するものである。
【００１５】
請求項５記載の発明によれば、係止具を一本の線材から形成するので、係止具の製造コストが低く、固定装置自体の製造コストも安価に抑えることができる。
【００１６】
請求項６記載の発明は、前側ベルト及び後側ベルトの先端に係止輪を備え、係止具を係脱自在に保持するのもである。
【００１７】
請求項６記載の発明によれば、前側ベルト及び後側ベルトの先端に係止輪を備え、係止具を係脱自在に保持するので、固定対象物のサイズ・形状に合わせて係止具を選択することができ、あらゆるものを固定対象物とすることができる。そのため、固定装置の利用範囲をより広げることができる。
【００１８】
請求項７記載の発明は、操作レバーを固定対象物の後方に設けたものである。
【００１９】
請求項７記載の発明によれば、操作レバーが固定対象物の後方に設けてあるので、係止具を固定対象物に掛け止める作業（フック掛け作業）を、固定対象物の後方から行った後、その手元で操作レバーの操作ができるので、作業員の手間を大幅に減らすことができる。尚、本発明においてベルトとは、帯状のものに限られず、その他ワイヤーなどの紐状のものも含むとする。また、以上の説明において前後とは固定対象物の搬入方向である。
【００２０】
【発明の実施の形態】
以下、本発明の好適な一実施形態を図面を基に説明する。以下の説明において“前”“後”とは、車椅子の搬入方向、即ち自動車の車体の前後方向における“前”“後”であり、図中矢示Ａが前方、矢示Ｂが後方である。
【００２１】
図１〜図５はこの発明の第１実施形態を示す図である。固定装置１は、特に、自動車に積載する車椅子を固定するのに好適なものである。固定装置１に構成する部品を床下位置に収納する筐体１ａの前側の左右には、転向部材２を介して床Ｆ上に取り出される変長ベルト３が設けられている。この変長ベルト３は「ベルト収納手段」としてのリトラクタ４から引出されて床上への引き出し長さを適宜変更できる。一方、後側の左右には、長さが不変の固定長ベルト５が設けられている。そして、左側および右側では、それぞれ前後のベルト３、５を一対として係止具６を保持している。この係止具６は前後方向に延びる連結部６ａを介して複数の掛止部６ｂ、６ｃ、６ｄ、６ｅを備えている。変長ベルト３も固定長ベルト５も、先端には、ベルトを折り返して形成した係止輪Ｒが設けられていて、この係止輪Ｒに係止具６が係脱可能になっている。そのため、この実施形態の係止具６以外に、その他のサイズ・形状の係止具を用意すれば、固定する車椅子のタイプや救急医療用ストレッチャー、その他の固定対象物に応じて、この固定装置１を適用することができる。
【００２２】
固定装置１には、変長ベルト３を引出不能のロック状態にするため、その前後方向に延びる略丸棒形状のベルト巻込具７が筐体１ａに軸支されていて、回動自在（正逆回転自在）となっている。このベルト巻込具７には、ロック板７ａがネジ止めしてあり、ベルト巻込具７に部分的に設けた平坦部７ｃとの間に形成される挿通部７ｂへ、リトラクタ４から引出した変長ベルト３を挿通できるようになっている（図３参照）。ベルト巻込具７は、操作レバー８の操作と連動して回動するようになっている。
【００２３】
ここで、図２に示すように、操作レバー８はその回動支点８ｃが床Ｆより低い位置に配置されていて、変長ベルト３のアンロック状態で図２の実線で示すように床Ｆ上に突出しない横倒れ姿勢となっている。一方、操作レバー８を図２中矢印方向に１８０度回転させると、それに連動してベルト巻込具７が３６０度回転し、挿通部７ｂに通された変長ベルト３が巻込まれ引出不能のロック状態となる（図３参照）。そして、変長ベルト３のロック状態でも操作レバー８は床下に位置する。
【００２４】
この変長ベルト３のロック状態を維持するため、ベルト巻込具７の後端にはラチェット作動する「もどり止め機構９」が設けられている。このもどり止め機構９は、歯車１０と、この歯車１０の周面に設けたロック溝１１に対して、板バネ１２の付勢を受けて係合するロック爪１３とを備えている。ここで、歯車１０とロック爪１３の動作について説明すると、アンロック状態でロック爪１３がロック溝１１と係合し、この状態から操作レバー８を図２の矢示方向に回転させると、ロック爪１３はロック溝１１から外れて歯車１０の外周を摺動する。そして、操作レバー８を約１００度ほど回転させたあたりでロック爪１３が、歯車１０の回転方向で１番目のロック溝１１に係入するようになっている。このように、作業者が体重をかけて力を入れやすい約１００度の角度からロック爪１３が１番目のロック溝１１と係合し始めるようになっているので、その後の操作レバー８の回転操作を行い易くしてある。続けて、作業者が力の入れ易い姿勢となっている操作レバー８をさらに回転させると、ロック爪１３が２番目、３番目と順にロック溝１１と係合していき、１８０度回転させると最後のロック溝１１と係合して、変長ベルト３が完全にロックされた状態となる。そして、変長レバー８のロック状態を解除するには、解除バー１４を上方へ引き上げる。解除バー１４を引き上げると、ワイヤーＷが引っ張られてロック爪１３が支点１３ｃを中心に回転し、ロック爪１３がロック溝１１から外れる。ここで操作レバー８を戻すように回転させると、変長ベルト３のロック状態が解除される。
【００２５】
通常はこのようにしてロック状態を解除するが、この固定装置１では、万が一ワイヤーＷが切れて解除バー１４でロックを解除できない場合でも、緊急避難的にロック状態を解除するための補助手段を設けてある。図１で示す１４ａがそれで、この補助解除バー１４ａは、細棒状の先端が固定装置１のベース１ａの上面開口を塞ぐ蓋１５（図４）に穿設された透孔１５ａの真下に位置しており、基端がロック爪１３の底部に対して下方から当接した形状となっている。この先端と基端の間には、ロック爪１３の支点１３ｃを支点として回転可能に支持される支持部が設けられている。これを操作するには、先ず蓋１５の透孔１５ａからドライバー等の道具を差し込んで、補助解除バー１４ａの先端を押し下げる。すると、該支持部を支点として基端が上方に回転し、これに伴ってロック爪１３を係入方向の反対方向へ回転させてロック溝１１に対するロック爪１３の係合が解除させる。そして、操作レバー８を戻すように回転させると、緊急避難的に変長ベルト３のロック状態を解除することができる。
【００２６】
上述の固定装置１は床下取付用であって、図４に示すように、ベース１ａには車の床Ｆと高さが一致する蓋１５がネジ止めされている。この蓋１５は左右にベルト収納蓋１６を備えており、その下に先端に係止具６を保持したベルト（固定長ベルト５、変長ベルト３）を収納する。また、蓋１５の後部には操作レバー８を収納するためのレバー収納蓋１７が設けられている。車椅子を車内の床Ｆに搬入するときは、全ての蓋１６、１７を閉じて床をフラットにして車椅子を固定位置まで誘導する。そのため、この固定装置１を用れば床Ｆがフラットとなり、車椅子の搬入が容易になる。そして、固定作業を行うときにベルト収納蓋１６とレバー収納蓋１７を開けて、それらの裏面に表示されている固定装置１の取り扱い説明（図示略）を見て固定作業を行う。従って、固定装置１の取扱説明書を車載していなくても、正しく固定作業を行うことができ、しかもこの取り扱い説明はベルト収納蓋１６とレバー収納蓋１７を閉じているときには見えないので、固定装置１を使用しないときの床Ｆの見栄えが悪くなることもない。また、従来、車椅子の側方に存在していた操作レバーが後方に位置するので、側方のスペースをより広く使うことができる。
【００２７】
さらに、変長ベルト３のロック状態でも、操作レバー８は床下に位置するので、前後方向に２つ以上車椅子を列べるときは、前の車椅子を固定した後は、その上に後の車椅子を固定することが可能となるので、限られたスペースでより多くの車椅子を車上に積載することができる。
【００２８】
図５は、車椅子Ｃに係止具６を掛け止めて固定している様子を示す部分図である。図５からも分かるように、実際のフック掛け作業では、係止具６の連結部６ａが、複数の掛止部６ｂ〜６ｅの「ガイド役」を担っている。そのため、前側の変長ベルト３と後側の固定長ベルト５との双方に保持される係止具６を、車椅子Ｃの内側後方から一回で掛け止めることができ、フック掛け作業を楽に行える。つまり、比較的スペースの無い車椅子Ｃの前方に回り込む必要が無くなり、付添人の負担が大幅に減る。更に、後方からのフック掛け作業だけで済むため、車椅子Ｃに乗る人の股下に手を伸ばす作業がなくなり、車椅子Ｃの利用者のに不快感を与えることもない。
【００２９】
また、係止具６は掛止部６ｃと掛止部６ｄとの間隔を車椅子Ｃのフレーム太さと略同幅にしてあるので、フレームを前後方向で狭持することができる。そのため、車椅子Ｃのフレームと係止具６との間でズレが生じず、固定装置の固定性能を高く維持することが可能となる。特に、自動車の床Ｆに載置された車椅子Ｃは、急ブレーキ、急発進によって大きな慣性力がかかることもあり、掛止部６ｃと掛止部６ｄとの間に形成された「Ｕ字形状」は、乗員保護性能を向上する。加えて、係止部６ｄと６ｅとで「ショック吸収部」を形成していて、更に乗員保護性能を向上することができる。また、係止具６は一本の線材から形成されており、製造コストが安く、固定装置１自体の製造コストも安価に抑えることができる。
【００３０】
次に、第２実施形態の固定装置１を図６を参照しつつ簡単に説明する。尚、第１実施形態の固定装置１と同様に構成については同じ符号を用いて重複説明を省略し、同様の作用効果についても重複説明を省略する。この実施形態の固定装置１は、前側および後側のベルトがどちらもリトラクタ４から引き出される変長ベルト３で、ベルト巻込具７は前後に２つ備えている。なお、図６では固定装置１の左側の構成だけを示してあり、それと同一構成の右側の構成については図示を両略してある。操作レバー８は前後方向に回動し、伝達ベルトｂによって、ベルト巻込具７を回動させている。この場合も、第１実施形態と同様に、変長ベルト３のロック状態及びアンロック状態で、操作レバー８が床下に位置するものである。そのため、床をフラットにすることができると共に、操作レバー８を固定対象物の後方に配置することができ、第１実施形態と同様の作用効果を得ることができるものである。
【００３１】
尚、例えば、操作レバーの回動方向、ベルト巻込具の形状、変長ベルトおよび固定長ベルトによる引張方向等の構成は上述の第１及び第２実施形態に示したものに限定されるものではない。即ち、例えば係止具６については、図６で示すようなフレーム構造の車椅子Ｃに使用するのに好ましいものを一例として説明したが、そのようなフレーム構造を持たないスポーツタイプの車椅子やストレッチャー、或いはその他の固定対象物の構造に応じて他の形状をもつ係止具６を利用してもよい。その場合、少なくとも変長ベルト３と固定長ベルト５の係入輪Ｒに着脱自在な部位を有し、しかも少なくとも２つの掛止部を備える必要がある。また、変長ベルト３や固定長ベルト５についても、ベルト状のものではなく、ワイヤーやロープなど他のものを使用可能であることは勿論である。
【００３２】
【発明の効果】
本発明によれば、固定装置は、ベルト巻込具の回動と連動する操作レバーの回動支点を床下に設け、そして、少なくとも変長ベルトを引出・巻取自在なアンロック状態で操作レバーが床上に突出しない横倒れ姿勢としてあるので、床面をフラットにすることが可能となり、固定対象物の搬入および固定位置までの移動を容易かつ安全に行うことができる。また、固定装置を使わないときは、操作レバーを完全に床下に収納して比較的大きな積載物も搬入できるので、床の利用範囲も広がる。
【００３３】
また、前側ベルトと後側ベルトで一つの係止具を保持すると共に、該係止具は固定対象物に掛け止める掛止部を少なくとも２つ有するので、例えば、車椅子を固定対象物とする場合は、作業をしやすい車椅子後方から係止具を一度に掛けることができ、取付作業が容易になる。そのため、従来のように固定対象物の回りを一巡してフックをそれぞれ別々に取り付ける必要が無くなる。更に、後方から取付作業が完了するため、他人が車椅子に乗る人の股下に手を伸ばす作業がなくなる。
【図面の簡単な説明】
【図１】本発明の第１実施形態による固定装置の平面図。
【図２】図１の固定装置の操作レバーおよびもどり止め機構を示す正面図。
【図３】変調ベルトのロック状態及びアンロック状態を示す概略図。
【図４】図１の固定装置の取付状態を示す斜視図。
【図５】車椅子の固定状態を示す部分図。
【図６】本発明の第２実施形態による固定装置の部分平面図。
【図７】従来の固定装置の使用状態を示す概略図。
【符号の説明】
１    固定装置
３    変長ベルト
４    リトラクタ（ベルト収納手段）
６    係止具
６ｂ〜６ｅ  掛止部
７    ベルト巻込具
７ｂ  挿通部
８    操作レバー
８ｃ  回動支点
Ｆ    床
Ｒ    係入輪
【図１】
0003559500.tif 000002
【図２】
0003559500.tif 000003
【図３】
0003559500.tif 000004
【図４】
0003559500.tif 000005
【図５】
0003559500.tif 000006
【図６】
0003559500.tif 000007
【図７】
0003559500.tif 000008